(57)【要約】【課題】本考案は、端子が安定に固着されるＵＳＢコネクタを提供することを目的とする。【解決手段】本考案のコネクタは、収納空間と、絶縁性本体と、複数の第１端子と、位置決め部材とを備える。前記絶縁性本体は、複数の嵌合溝と複数の係止溝とが形成される基部と、前記基部から突出して前記収納空間に配置される舌片と、を有する。前記第１端子は、前記絶縁性本体の嵌合溝に嵌合される第１主体部と、前記第１主体部から突出して前記係止溝と係合するクリック部と、前記舌片に配置される第１接触部と、外へ延在する第１半田接続部と、を含む。前記位置決め部材は、前記絶縁性本体の基部に位置して、第１端子の主体部に当接する。前記係止溝は、前記嵌合溝の側端から延在して、前記係止溝と連通する。【選択図】図４
0003168182.tif 000002
【実用新案登録請求の範囲】
【請求項１】
収納空間と、
複数の嵌合溝と複数の係止溝とが形成される基部と、前記基部から突出して前記収納空間に配置される舌片と、を有する絶縁性本体と、
前記絶縁性本体の嵌合溝に嵌合される第１主体部と、前記第１主体部から突出して前記係止溝と係合するクリック部と、前記舌片に配置される第１接触部と、外へ延在する第１半田接続部と、を含む複数の第１端子と、
前記絶縁性本体の基部に位置して、前記第１端子の主体部に当接する位置決め部材と、
を備え、前記係止溝は、前記嵌合溝の側端から延在して、隣接する他の前記係止溝と連通することを特徴とするコネクタ。
【請求項２】
前記位置決め部材には、前記嵌合溝と前記係止溝とに係合する複数の「十」字状の係止部が設けられ、前記係止部が前記第１端子の第１主体部とクリック部とに下向きに当接することを特徴とする請求項１に記載のコネクタ。
【請求項３】
前記位置決め部材には、隣接する前記第１端子の第１主体部の間に嵌められる複数のリブが設けられることを特徴とする請求項１に記載のコネクタ。
【請求項４】
前記基部には、前記収納空間から後方に窪んだ、前記位置決め部材を収納するための凹溝と、前記凹溝の両側に配置される一対の側壁と、前記凹溝の後端に配置されるプラットフォームとが設けられることを特徴とする請求項１に記載のコネクタ。
【請求項５】
前記第１端子は、前記第１主体部から上向きに折り曲げられる第１ネック部と、前記第１ネック部から折り曲げられる第１延在部とを有し、前記第１接触部が前記第１主体部の前端に設けられ、前記第１半田接続部が前記第１延在部から延在することを特徴とする請求項４に記載のコネクタ。
【請求項６】
前記プラットフォームの前記凹溝に向かう前表面には、前記第１端子の前記第１ネック部が挿入される複数の挿入溝が形成され、前記プラットフォームの上表面には、前記第１端子の前記第１延在部が挿入される複数の延在溝が形成され、前記挿入溝が前記嵌合溝と前記延在溝とに連通することを特徴とする請求項５に記載のコネクタ。
【請求項７】
前記基部の一対の側壁内表面には、一対の係合溝が形成され、前記位置決め部材には、前記基部の前記一対の係合溝と係合する係合部片が設けられることを特徴とする請求項４に記載のコネクタ。
【請求項８】
前記コネクタは、前記絶縁性本体に取り付けられる複数の第２端子と、前記絶縁性本体を遮蔽するハウジングとを備え、前記収納空間が前記ハウジングと前記絶縁性本体の前記舌片との間に形成され、前記位置決め部材には、複数の当接溝が形成され、前記絶縁性本体には、複数の凸状部片が設けられ、前記ハウジングには、前記当接溝に当接する複数の当接片と、前記複数の凸状部片と係合する複数の切欠けとが設けられることを特徴とする請求項１に記載のコネクタ。
【考案の詳細な説明】
【技術分野】
【０００１】
本考案は、コネクタに関し、特に、端子が安定に固着されるＵＳＢ（Ｕｎｉｖｅｒｓａｌ  Ｓｅｒｉａｌ  Ｂｕｓ）規格に準拠したコネクタに関するものである。
【背景技術】
【０００２】
従来技術のＵＳＢコネクタは、絶縁性本体と、絶縁性本体に固着される導電端子と、位置決め部と、前記絶縁性本体を遮蔽するハウジングとを備える。絶縁性本体は、基部と、基部から突出する舌片とを備える。基部には、凹溝が形成される。舌片には、位置決め溝が形成される。基部には、前記凹溝と位置決め溝とを連接する連接溝が形成される。各導電端子は、前記凹溝が収納される固定部と、連接溝に収納される連接部と、位置決め溝に収納される位置決め部と、を有する。
【先行技術文献】
【特許文献】
【０００３】
【特許文献１】中国実用新案第２０１２３００９５Ｙ号明細書
【考案の概要】
【考案が解決しようとする課題】
【０００４】
前記コネクタを組み立てる際、導電端子は絶縁性本体に取り付けられる。前記凹溝と連接溝と位置決め溝とによって、導電端子の横方向への誤移動が阻止されるが、前後方向への誤移動が阻止できない。
【０００５】
そこで本考案は、上述される従来技術の問題に鑑み、端子が安定して固着されるＵＳＢコネクタを提供することを目的とする。
【課題を解決するための手段】
【０００６】
前記目的を達成するために、本考案のコネクタは、収納空間と、絶縁性本体と、複数の第１端子と、位置決め部材とを備える。前記絶縁性本体は、複数の嵌合溝と複数の係止溝とが形成される基部と、前記基部から突出して前記収納空間に配置される舌片と、を有する。前記第１端子は、前記絶縁性本体の嵌合溝に嵌合される第１主体部と、前記第１主体部から突出して前記係止溝と係合するクリック部と、前記舌片に配置される第１接触部と、外へ延在する第１半田接続部と、を含む。前記位置決め部材は、前記絶縁性本体の基部に位置し、且つ前記第１端子の主体部に当接する。前記係止溝は、前記嵌合溝の側端から延在して、前記係止溝と連通する。
【考案の効果】
【０００７】
従来技術と比較して、本考案は以下の長所を有する。本考案の第１端子の第１主体部が前記絶縁性本体の嵌合溝と係合することによって、第１端子の横方向への誤移動を防止できる。第１端子の第１クリック部が絶縁性本体１の係止溝と係合することによって、第１端子の前後方向への誤移動を防止できる。従って第１端子が絶縁性本体に安定して固着される。
【図面の簡単な説明】
【０００８】
【図１】本考案のコネクタの組立斜視図である。
【図２】図１に示すコネクタの部分の分解斜視図である。
【図３】図２に示すコネクタの部分の分解斜視図である。
【図４】図３に示すコネクタの部分の分解斜視図である。
【図５】別の角度から見た図４に示すコネクタの部分の分解斜視図である。
【図６】コネクタの絶縁性本体と、位置決め部材と、導電端子との組立斜視図である。
【考案を実施するための形態】
【０００９】
図１〜図６を参照すると、本考案のコネクタ１００は、ＵＳＢコネクタである。コネクタ１００は、絶縁性本体１と、位置決め部材２と、複数の導電端子３と、前記絶縁性本体１を遮蔽するハウジング４とを備える。
【００１０】
絶縁性本体１は、基部１０と、基部１０から突出部する舌片１１と、を備える。前記舌片１１は、上表面１１１と、前記上表面１１１と対向する下表面１１２とを有する。ハウジング４が絶縁性本体１を遮蔽する際、ハウジング４と舌片１１との間には、収納空間１２が形成される。
【００１１】
前記絶縁性本体１の基部１０には、プラットフォーム１０３と、一対の側壁１０２と、前記収納空間１２から後方に窪んで前記一対の側壁１０２の間に形成される凹溝１０１とが設けられる。各側壁１０２の内表面には、係合溝１０５が形成される。前記凹溝１０１の底面には、前後方向に延在する複数の嵌合溝１０６と、この嵌合溝１０６の側端から横方向に沿って突出して前記複数の嵌合溝１０６に貫通する係止溝１０７とが形成される。前記プラットフォーム１０３の前記凹溝１０１に向かう前表面には、複数の挿入溝１０８が形成される。前記プラットフォーム１０３の上表面には、複数の延在溝１０９が形成される。前記挿入溝１０８は、前記嵌合溝１０６と前記延在溝１０９とに連通する。前記プラットフォーム１０３の下部には、凹所１００１が形成される。凹所１００１には、一対の位置決め柱１００２が設けられる。
【００１２】
図４及び図５に示すように、位置決め部材２の下表面には、複数のリブ２１と、複数のリブ２１の後端に形成される「十」字状の複数の係止部２６とが設けられる。位置決め部材２の上表面には、一対の当接溝２２が形成される。
【００１３】
図４及び図５に示すように、前記導電端子３は、ＵＳＢ３．０規格に準拠した五つの第１端子３１と四つの第２端子３２とを備える。五つの第１端子３１は、一方及び他方の一対の第１差分信号端子３１８と、一方及び他方の一対の第１差分信号端子３１８の間に配置される第１接地端子３１９とを備える。前記各第１端子３１は、第１主体部３１１と、第１主体部３１１前端に設けられる弾力的な第１接触部３１２と、第１主体部３１１から上向きに折り曲げられる第１ネック部３１３と、第１ネック部３１３から直交に折り曲げられる第１延在部３１４と、第１延在部３１４から後向きに延在する第１半田接続部３１５とを有する。第１主体部３１１には、横方向に突出するクリック部３１６が設けられる。第１接地端子３１９は、一対の第１半田接続部３１５を有する。
【００１４】
四つの第２端子３２は、第２パワー端子３２７と、一対の第２差分信号端子３２８と、第２接地端子３２９とを備える。各第２端子３２は、平板状の第２接触部３２２と、第２半田接続部３２５とを有する。
【００１５】
ハウジング４は、天壁４１と、底壁４２と、一対の側壁４３とを備える。ハウジング４の天壁４１には、下向きに延在する一対の当接片４１３が設けられる。天壁４１の後端には、一対切欠け４１４が形成される。
【００１６】
図１〜図６に示すように、コネクタ１００を組み立てる際、先ず、四つの第２端子３２が絶縁性本体１にインサートモールドによって成型される。第２端子３２の第２接触部３２２は、舌片１１の上表面１１１に露出する。五つの第１端子３１は、基部１０に装着される。第１端子３１の第１接触部３１２が絶縁性本体１の上表面１１１に露出され、第２接触部３２２の後に配置される。第１端子３１の第１主体部３１１が、絶縁性本体１の嵌合溝１０６に嵌合され、第１クリック部３１６が、係止溝１０７に係止される。第１端子３１の第１ネック部３１３が、挿入溝１０８に挿入され、第１延在部３１４が、延在溝１０９に挿入され、第１半田接続部３１５が、延在溝１０９から外へ延在する。第２端子３２の一対の第２差分信号端子３２８の一対の第２半田接続部３２５は、第１端子３１の第１接地端子３１９の一対の第１半田接続部３１５の間に配置される。
【００１７】
前記位置決め部材２の複数のリブ２１が、隣接する第１端子３１の間に位置して凹溝１０１の底面に当接し、係止部２６が第１端子３１の第１主体部３１１とクリック部３１６とに下向きに当接して嵌合溝１０６と係止溝１０７とを係止する。位置決め部材２の係合部片２４が、絶縁性本体１の係合溝１０５と係合する。前記プラットフォーム１０３と、前記一対の側壁１０２と、前記位置決め部材２とは、面一になる。ハウジング４は、絶縁性本体１を遮蔽する。ハウジング４の一対の当接片４１３が絶縁性本体１の当接溝２２に当接し、切欠け４１４が絶縁性本体１の凸状部片１００３と係合する。
【００１８】
前記第１端子３１の第１主体部３１１が前記絶縁性本体１の嵌合溝１０６と係合することによって、第１端子３１の横方向への誤移動を防止できる。第１端子３１の第１クリック部３１６が絶縁性本体１の係止溝１０７と係合することによって、第１端子３１の前後方向への誤移動を防止できる。従って第１端子３１が絶縁性本体１に安定して固着される。第１端子３１の主体部３１１とクリック部３１６とは、第２端子３２のような他の端子に用いられてもよい。
【００１９】
以上、本考案について好ましい実施形態を参照して詳細に説明したが、実施形態はあくまでも例示的なものであり、これらに限定されるものではない。また上述において説明された本考案に基づき成し得る細部の修正或いは変更などは、いずれも本考案の技術的範囲に属するものである。
【符号の説明】
【００２０】
１００  コネクタ
１  絶縁性本体
１０  基部
１００１  凹所
１００２  位置決め柱
１００３  凸状部片
１０１  凹溝
１０２  側壁
１０３  プラットフォーム部
１０５  係合溝
１０６  嵌合溝
１０７  係止溝
１０８  挿入溝
１０９  延在溝
１１  舌片
１１１  上表面
１２  収納空間
２  位置決め部材
２１  リブ
２２  当接溝
２４  係合部片
２６  係止部
３  導電端子
３１  第１端子グループ
３１１  第１主体部
３１２  第１接触部
３１３  第１ネック部
３１４  第１延在部
３１５  第１半田接続部
３１６  クリック部
３１８  第１差分信号端子
３１９  第１接地端子
３２  第２端子グループ
３２２  第２接触部
３２５  第２半田接続部
３２７  第２パワー端子
３２８  第２差分信号端子
３２９  第２接地端子
４  ハウジング
４１  天壁
４１３  当接片
４１４  切欠け
４２  底壁
４３  側壁
【図１】
0003168182.tif 000003
【図２】
0003168182.tif 000004
【図３】
0003168182.tif 000005
【図４】
0003168182.tif 000006
【図５】
0003168182.tif 000007
【図６】
0003168182.tif 000008